(57)【要約】      （修正有）【課題】被測定者の利便性を向上させることができる、ユーザの生体情報を測定するための椅子を提供する。【解決手段】椅子は、上肢部に装着された状態でユーザの生体情報を測定する機器が取り付けられているアームレスト１０３と、アームレスト１０３の位置が、ユーザが機器を上肢部に装着するときの第１の位置と、機器によりユーザの生体情報を測定するときの第２の位置との間で可変となるようにアームレスト１０３を支持するアームレスト支持部１０５ａと、を備えている。【選択図】図１
2015228975.tif 000002
【特許請求の範囲】
【請求項１】
被測定者の上肢部を乗せるためのアームレストであって、上記上肢部に装着された状態で上記被測定者の生体情報を測定する測定機器が取り付けられているアームレストと、
上記アームレストの位置が、上記被測定者が上記測定機器を上記上肢部に装着するときの第１の位置と、上記測定機器により上記被測定者の生体情報を測定するときの第２の位置との間で可変となるように上記アームレストを支持するアームレスト支持部と、を備えている、
ことを特徴とする椅子。
【請求項２】
上記第１の位置は、上記上肢部への上記測定機器の装着に適した位置であり、第２の位置は、上記測定機器による上記生体情報の測定に適した位置である、
ことを特徴とする請求項１に記載の椅子。
【請求項３】
上記アームレスト支持部は、上記第１の位置と、上記第２の位置との間で、少なくとも鉛直方向に可動となるように上記アームレストを支持する、
ことを特徴とする請求項１または２に記載の椅子。
【請求項４】
上記アームレスト支持部は、上記第１の位置と、上記第２の位置との間で、更に任意の方向に回転可能となるように上記アームレストを支持する、
ことを特徴とする請求項３に記載の椅子。
【請求項５】
上記アームレスト支持部は、上記第１の位置と、上記第２の位置との間で、更に水平方向に可動となるように上記アームレストを支持する、
ことを特徴とする請求項３または４に記載の椅子。
【請求項６】
上記アームレスト支持部は、上記アームレストの位置が、更に、上記被測定者が当該椅子に座るときの第３の位置と、上記第１の位置との間で可変となるように上記アームレストを支持する、
ことを特徴とする請求項１から５の何れか１項に記載の椅子。
【請求項７】
請求項１から６の何れか１項に記載の椅子を制御する制御装置であって、
上記椅子は、
上記測定機器により測定された上記被測定者の生体情報を表示する表示部と、
上記被測定者を撮影するカメラと、を更に備え、
当該制御装置は、
上記カメラにより撮影される被測定者の撮影画像に基づいて上記表示部の位置を調整する表示部位置調整手段を備えている、
ことを特徴とする請求項１から３の何れか１項に記載の制御装置。
【請求項８】
上記カメラは、上記表示部に追従して位置が調整されるように設けられており、
上記表示部位置調整手段は、上記カメラにより撮影される上記撮影画像と人の形を模した基準シルエットを含む基準画像とを重ね合せたとき、上記撮影画像に含まれる上記被測定者と上記基準画像に含まれる基準シルエットとが所定の割合以上重なるように、上記表示部の位置を調整する、
ことを特徴とする請求項７に記載の制御装置。
【請求項９】
上記椅子は、上記表示部に対する上記椅子の周囲に存在する上記被測定者以外の人物からの視線を遮る視線遮断部を更に備えている、
ことを特徴とする請求項７又は８に記載の制御装置。
【請求項１０】
上記視線遮断部による上記被測定者以外の人物からの視線の遮断を制御する視線遮断制御手段を更に備え、
上記視線遮断制御手段は、
上記測定機器による測定結果が上記表示部に表示されている場合に、上記視線遮断部による視線の遮断を有効にし、
上記測定機器による測定結果が上記表示部に表示されていない場合に、上記視線遮断部による視線の遮断を無効にする、
ことを特徴とする請求項９に記載の制御装置。
【請求項１１】
上記視線遮断部は、電流の供給の有無により透明と不透明とが切り替わる導電性パネルであり、
上記視線遮断制御手段は、上記導電性パネルへの電流の供給及び非供給を切り替えて上記導電性パネルの透明と非透明とを切り替えることにより、上記導電性パネルによる上記被測定者以外の人物からの上記表示部に対する視線の遮断の有効及び無効を制御する、
ことを特徴とする請求項１０に記載の制御装置。
【請求項１２】
被測定者の上肢部を乗せるためのアームレストであって、上記上肢部に装着された状態で上記被測定者の生体情報を測定する測定機器が取り付けられているアームレストと、
上記アームレストの位置が、上記被測定者が上記測定機器を上記上肢部に装着するときの第１の位置と、上記測定機器により上記被測定者の生体情報を測定するときの第２の位置との間で可変となるように上記アームレストを支持するアームレスト支持部と、
上記測定機器により測定された上記被測定者の生体情報を表示する表示部と、を備える椅子を制御する制御装置の表示部位置調整方法であって、
上記被測定者を撮影するカメラにより撮影画像を撮影する撮影ステップと、
上記撮影ステップにおいて撮影される被測定者の撮影画像に基づいて上記表示部の位置を調整する表示部位置調整ステップと、を含んでいる、
ことを特徴とする表示部位置調整方法。
【請求項１３】
請求項７から１１の何れか一項に記載の制御装置としてコンピュータを機能させるためのプログラムであって、コンピュータを上記各手段として機能させるためのプログラム。
【請求項１４】
請求項１３に記載のプログラムを記録したコンピュータ読み取り可能な記録媒体。
【発明の詳細な説明】
【技術分野】
【０００１】
本発明は、生体情報を測定する椅子、そのような椅子を制御する制御装置、及び、制御装置の表示部位置調整方法に関する。また、制御装置としてコンピュータを動作させるためのプログラム、及び、そのようなプログラムが記録されている記録媒体に関する。
【背景技術】
【０００２】
近年、生活習慣病の予防および対策として、日常的な健康管理が重要であることが広く認識されている。そして、体重、体脂肪、内臓脂肪、骨密度、体温、血圧、脈拍、酸素飽和度または運動量（歩数、消費カロリー値など）などの生体情報（バイタルデータ）を日常的に測定し記録することにより、各人が自分の健康管理を自分自身で行うことが注目されている。
【０００３】
例えば、特許文献１には、外郭構造により外部の環境の影響を受けることなくユーザの健康に関するデータを測定するヘルスブースが開示されている。
【０００４】
また、特許文献２には、ユーザの現在の身体状態とユーザから得られた問診回答情報とによりユーザの健康状態を分析する健康管理システムが開示されている。
【先行技術文献】
【特許文献】
【０００５】
【特許文献１】特表２０１０−５３８６８９号公報（２０１０年１２月１６日公開）
【特許文献２】特開２０１１−０６７７０８号公報（２０１１年４月７日公開）
【発明の概要】
【発明が解決しようとする課題】
【０００６】
しかし、特許文献１に記載のヘルスブースでは、大型であるため広い設置スペースが必要であり、ユーザの健康に関するデータを測定する機器がヘルスブース内の複数の箇所に固定されている。このため、健康に関するデータを測定するためにユーザが各測定機器に合わせて移動したり、姿勢を大きく変えたりする必要がある。このため、安定した状態でユーザの健康情報を得ることが難しい。また、特許文献２に記載の健康管理システムでは、ユーザが自身の身体情報を測定するために、生体信号測定器に対して自分の姿勢を適正に保たなければならない。このように、従来の技術では、ユーザの健康に関するデータを測定するに際し、ユーザの利便性が低いという問題がる。
【０００７】
本発明は、上記の課題に鑑みてなされたものであり、その主たる目的は、被測定者の利便性を向上させることができる、ユーザの生体情報を測定するための椅子を提供することにある。
【課題を解決するための手段】
【０００８】
本発明の一態様に係る椅子は、上述の課題を解決するため、被測定者の上肢部を乗せるためのアームレストであって、上記上肢部に装着された状態で上記被測定者の生体情報を測定する測定機器が取り付けられているアームレストと、上記アームレストの位置が、上記被測定者が上記測定機器を上記上肢部に装着するときの第１の位置と、上記測定機器により上記被測定者の生体情報を測定するときの第２の位置との間で可変となるように上記アームレストを支持するアームレスト支持部と、を備えている、ことを特徴とする。
【０００９】
上記の構成によれば、上記アームレストは、上記アームレスト支持部により、上記第１
の位置と上記第２の位置との間で可変に支持されている。
【００１０】
これにより、上記被測定者は、上記アームレストに取り付けられている測定機器を、当該測定機器により生体情報を測定するときの上記アームレストの位置と異なる位置に上記アームレストを動かして、被測定者が安定した姿勢で装着することができる。つまり、上記被測定者は、上記椅子に座った状態で、上記アームレストに取り付けられた測定機器を容易に上記上肢部に装着することができる。また、上記被測定者は、上記測定機器を上記上肢部に装着した後、上記測定機器を装着するために動いた上記アームレストの位置と異なる位置に上記アームレストが動いた状態で、上記測定機器による測定をうけることができる。
【００１１】
従って、上記椅子は、当該椅子を利用する被測定者の利便性（使い勝手）を向上させることができ、被測定者本位の構成を実現することで安静な状態で測定ができ、測定によるバラつきを抑えて信頼性が高い情報を得ることができる。
【００１２】
本発明の一態様に係る椅子において、上記第１の位置は、上記上肢部への上記測定機器の装着に適した位置であり、第２の位置は、上記測定機器による上記生体情報の測定に適した位置である、ことが好ましい。
【００１３】
上記の構成によれば、上記アームレストは、上記アームレスト支持部により、当該アームレストに取り付けられた測定機器により上記被測定者の生体情報を測定するとき、当該アームレストに取り付けられた測定機器による測定に適した位置に支持される。
【００１４】
例えば、上記アームレストは、上記アームレストに取り付けられた測定機器が血圧計である場合には、上記被測定者が当該血圧計のカフを装着する際に、血圧計の位置が上記被測定者がカフを取り付け易い位置になるように上記アームレスト支持部により支持される。このように、上記被測定者は、上記椅子に座った状態で、上記アームレストに取り付けられた測定機器を容易に上記上肢部に装着することができる。
【００１５】
上記アームレストは、血圧計により被測定者の血圧計を測定する際には、上記被測定者の心臓の高さに近い高さになるよう、上記アームレスト支持部により支持される。これにより、上記椅子は、上記アームレストに取り付けられた測定機器の装着を容易にすると共に、上記被測定者の生体情報を安静な姿勢で測定することができる。
【００１６】
また、上記アームレストは、当該アームレストに取り付けられた測定機器を上記被測定者が上記上肢部に装着した後、血圧を測定する際に、上記被測定者の上肢部が測定に適した位置、すなわち上記被測定者の心臓の高さに近い位置になるように、上記アームレスト支持部により支持される。このように、上記椅子は、上記アームレストに取り付けられた測定機器により、上記被測定者の生体情報を安静な姿勢で測定することができる。
【００１７】
本発明の一態様に係る椅子において、上記アームレスト支持部は、上記第１の位置と、上記第２の位置との間で、少なくとも鉛直方向に可動となるように上記アームレストを支持する、ことが好ましい。
【００１８】
上記の構成によれば、上記アームレスト支持部は、上記上肢部に上記測定機器を装着するときと、上記測定機器により上記生体情報を測定するときとで、高さが異なるように上記アームレストを支持することができる。これにより、上記椅子は、上記被測定者の利便性をより向上させることができる。
【００１９】
本発明の一態様に係る椅子において、上記アームレスト支持部は、上記第１の位置と、
上記第２の位置との間で、更に任意の方向に回転可能となるように上記アームレストを支持する、ことが好ましい。
【００２０】
上記の構成によれば、上記アームレスト支持部は、上記上肢部に上記測定機器を装着するときと、上記測定機器により上記生体情報を測定するときとで、上記アームレスト支持部に対する角度が異なるように上記アームレストを支持することができる。これにより、上記椅子は、上記被測定者の利便性をより向上させることができる。
【００２１】
本発明の一態様に係る椅子において、上記アームレスト支持部は、上記第１の位置と、上記第２の位置との間で、更に水平方向に可動となるように上記アームレストを支持する、ことが好ましい。
【００２２】
上記の構成によれば、上記アームレスト支持部は、上記上肢部に上記測定機器を装着するときと、上記測定機器により上記生体情報を測定するときとで、水平方向の位置が異なるように上記アームレストを支持することができる。これにより、上記椅子は、上記被測定者の利便性をより向上させることができる。
【００２３】
本発明の一態様に係る椅子において、上記アームレスト支持部は、上記アームレストの位置が、更に、上記被測定者が当該椅子に座るときの第３の位置と、上記第１の位置との間で可変となるように上記アームレストを支持する、ことが好ましい。
【００２４】
上記の構成によれば、上記アームレストは、上記アームレスト支持部により、上記被測定者が上記座面に座るときの位置と、上記被測定者の生体情報を測定するときの位置とが可変に支持されている。
【００２５】
これにより、被測定者は、上記アームレストが、当該測定機器により生体情報を測定するときの上記アームレストの位置と異なる位置に支持されている状態で上記座面に座ることができる。例えば、被測定者は、上記アームレストが上記椅子の座面から遠ざかった位置で支持されている状態で上記椅子に座った後、上記アームレストが当該被測定者が座るときの上記アームレストの位置よりも座面に近づいた位置で支持されている状態で測定情報の測定を受けることができる。
【００２６】
従って、上記椅子は、当該椅子に座る際の被測定者の使い勝手を向上させることができ、被測定者本位の構成を実現することができる。
【００２７】
本発明の一態様に係る制御装置は、上記椅子を制御する制御装置であって、上記椅子は、上記測定機器により測定された上記被測定者の生体情報を表示する表示部と、上記被測定者を撮影するカメラと、を更に備え、当該制御装置は、上記カメラにより撮影される被測定者の撮ことが好ましい。
【００２８】
上記の構成によれば、上記表示部位置調整手段は、上記被測定者の撮影画像に基づいて上記表示部の位置を調整する。
【００２９】
これによって、上記制御装置は、上記表示部の位置を上記被測定者に合わせて調整することができる。上記制御装置は、上記表示部の利用に関して被測定者の利便性をさらに向上させることができる。
【００３０】
本発明の一態様に係る制御装置において、上記カメラは、上記表示部に追従して位置が調整されるように設けられており、上記表示部位置調整手段は、上記カメラにより撮影される上記撮影画像と人の形を模した基準シルエットを含む基準画像とを重ね合せたとき、
上記撮影画像に含まれる上記被測定者と上記基準画像に含まれる基準シルエットとが所定の割合以上重なるように、上記表示部の位置を調整する、ことが好ましい。
【００３１】
上記の構成によれば、上記表示部位置調整手段は、上記撮影画像と上記基準画像とを重ね合せたときに上記撮影画像上の上記被測定者と上記基準画像中の上記基準シルエットとが所定の割合以上重なるような撮影画像が得られる方向に、上記表示部の位置を調整する。換言すれば、上記表示部位置調整手段は、上記撮影画像と上記基準画像とを重ね合せたときに上記被測定者と上記基準シルエットとが所定の割合以上重ならないときに、上記被測定者と上記基準シルエットとがより重なり合う方向に、上記表示部の位置を調整する。
【００３２】
これにより、上記制御装置は、上記表示部位置調整手段により、上記表示部の位置を上記被測定者に合わせた調整をより正確に行うことができる。従って、上記制御装置は、上記表示部の利用に関して被測定者の使い勝手をさらに向上させることができる。
【００３３】
本発明の一態様に係る制御装置において、上記椅子は、上記表示部に対する上記椅子の周囲に存在する上記被測定者以外の人物からの視線を遮る視線遮断部を更に備えている、ことが好ましい。
【００３４】
上記の構成によれば、上記視線遮断部は、上記表示部に対する上記被測定者以外の人物からの視線を遮ることができる。これにより、上記視線遮断部は、上記表示部に表示される上記被測定者の生体情報が、当該被測定者以外の人物に見られてしまうことを防ぎ、上記被測定者のプライバシーをより適切に保護することができる。
【００３５】
本発明の一態様に係る制御装置は、上記視線遮断部による上記被測定者以外の人物からの視線の遮断を制御する視線遮断制御手段を更に備え、上記視線遮断制御手段は、上記測定機器による測定結果が上記表示部に表示されている場合に、上記視線遮断部による視線の遮断を有効にし、上記測定機器による測定結果が上記表示部に表示されていない場合に、上記視線遮断部による視線の遮断を無効にする、ことが好ましい。
【００３６】
上記の構成によれば、上記視線遮断制御手段は、上記視線遮断部による視線の遮断を、上記椅子の周囲に上記被測定者以外の人物が存在する場合には有効にし、上記被測定者以外の人物が存在しない場合には無効にする。従って、上記制御装置は、上記視線遮断部が常に有効になっていることにより上記被測定者に与える圧迫感を低減することができる。
【００３７】
本発明の一態様に係る制御装置において、上記視線遮断部は、電流の供給の有無により透明と不透明とが切り替わる導電性パネルであり、上記視線遮断制御手段は、上記導電性パネルへの電流の供給及び非供給を切り替えて上記導電性パネルの透明と非透明とを切り替えることにより、上記導電性パネルによる上記被測定者以外の人物からの上記表示部に対する視線の遮断の有効及び無効を制御する、ことが好ましい。
【００３８】
上記の構成によれば、上記視線遮断制御手段は、上記導電性パネルである視線遮断部への電流の供給及び非供給を切り替えることによって上記被測定者以外の人物からの上記表示部に対する視線の遮断の有効及び無効を制御することができる。これにより、上記視線遮断制御手段は、上記視線遮断部における視線の遮断の有効及び無効を、より容易に制御することができる。
【００３９】
本発明の一態様に係る制御装置の表示部位置調整方法は、被測定者の上肢部を乗せるためのアームレストであって、上記上肢部に装着された状態で上記被測定者の生体情報を測定する測定機器が取り付けられているアームレストと、上記アームレストの位置が、上記被測定者が上記測定機器を上記上肢部に装着するときの第１の位置と、上記測定機器によ
り上記被測定者の生体情報を測定するときの第２の位置との間で可変となるように上記アームレストを支持するアームレスト支持部と、上記測定機器により測定された上記被測定者の生体情報を表示する表示部と、を備える椅子を制御する制御装置の表示部位置調整方法であって、上記被測定者を撮影するカメラにより撮影画像を撮影する撮影ステップと、上記撮影ステップにおいて撮影される被測定者の撮影画像に基づいて上記表示部の位置を調整する表示部位置調整ステップと、を含んでいる、ことを特徴とする。
【００４０】
上記の構成によれば、上述の制御装置と同様の効果を奏する。
【００４１】
本発明の各態様に係る制御装置は、コンピュータによって実現してもよく、この場合には、コンピュータを上記制御装置が備える各手段として動作させることにより上記制御装置をコンピュータにて実現させる制御装置のプログラム、およびそれを記録したコンピュータ読み取り可能な記録媒体も、本発明の範疇に入る。
【発明の効果】
【００４２】
本発明の一態様によれば、上記椅子は、被測定者の利便性（使い勝手）を向上させることができる。
【図面の簡単な説明】
【００４３】
【図１】本発明の一実施形態に係る生体情報測定用椅子の外観の一例を模式的に示す図である。
【図２】本発明の一実施形態に係る生体情報測定用椅子の外観の他の一例を模式的に示す図である。
【図３】本発明の一実施形態に係る生体情報測定用椅子の備えるアームレスト、及び、アームレスト支持部の構造の一例を示す外観図である。
【図４】本発明の一実施形態に係る生体情報測定用椅子の備えるアームレスト、及び、アームレスト支持部の構造の他の一例を示す外観図である。
【図５】本発明の一実施形態に係る生体情報測定用椅子の備えるアームレスト、及び、アームレスト支持部の構造の更に他の一例を示す外観図である。
【図６】本発明の一実施形態の変形例に係るアームレスト、及び、アームレスト支持部の構造の一例を模式的に示す図である。
【図７】本発明の一実施形態の他の変形例に係るアームレスト、及び、アームレスト支持部の構造の一例を模式的に示す図である。
【図８】本発明の一実施形態の他の変形例に係るアームレスト、及び、アームレスト支持部の構造の他の一例を模式的に示す図である。
【図９】本発明の他の実施形態に係る生体情報測定用椅子の備える情報管理装置の要部構成を示すブロック図である。
【図１０】本発明の他の実施形態に係る情報管理装置における表示部位置調整処理の流れを示すフローチャートである。
【図１１】本発明の他の実施形態に係る基準画像の一例を示す図である。
【図１２】本発明の他の実施形態に係る生体情報測定用椅子の備えるプライバシー保護部の一例を示す外観図である。
【図１３】本発明の更に他の実施形態に係る生体情報測定用椅子の外観の一例を模式的に示す図である。
【発明を実施するための形態】
【００４４】
＜実施形態１＞
以下、本発明の一実施形態について、詳細に説明する。但し、この実施形態に記載されている構成は、特に特定的な記載がない限り、この発明の範囲をそれのみに限定する趣旨ではなく、単なる説明例に過ぎない。
【００４５】
〔生体情報測定用椅子の概要〕
まず、生体情報測定用椅子１００について、その外観および概略構成の一例について図１及び２を用いて説明する。図１は、本実施形態に係る生体情報測定用椅子（椅子）１００の外観の一例を模式的に示す図である。図２は、本実施形態に係る生体情報測定用椅子１００の外観の他の一例を模式的に示す図であり、図２の（ａ）は、生体情報測定用椅子１００および生体情報測定用椅子１００に座しているユーザ（被測定者）５０を側方から見た概略図である。
【００４６】
以下では、表示部（入力部）２０、機器４ｐとの間の通信機能および表示部２０との間の通信機能を有する情報管理装置（制御装置）１、および、座しているユーザ５０などを撮影するカメラ（撮像手段）１０７を備えた生体情報測定用椅子１００を例に挙げている。なお、本発明に係る情報管理装置１を、ユーザ５０が立位のまま（移動せずに）または臥位のままで、各機器による生体情報の測定、および生体情報の管理ができる健康サポートシステムに適用してもよい。すなわち、健康サポートシステムとしては、ユーザ５０の姿勢に限定されない。例えば、健康サポートシステムにおいて、設置するために広い空間を要求しない個室のような空間においてユーザ５０が立ったままの姿勢である電話ボックス型であってもよいし、ベッドまたはマットレスの上にユーザ５０が寝た姿勢であるベッド型であってもよい。ただし、測定される生体情報の中には、ユーザ５０の姿勢に大きく影響を受けるものがあるため、健康管理においては、生体情報を測定する場合の姿勢は変えずに測定することが望ましい。
【００４７】
生体情報測定用椅子１００を利用するユーザ５０の身長、年齢には特に制約は無く、大人から子供までの幅広い年齢層のユーザ５０が利用可能である。基本的な操作方法を理解することができるユーザ５０であれば、該ユーザ５０が単独で生体情報測定用椅子１００を使用することが可能である。ただし、生体情報測定用椅子１００を多数の不特定のユーザ５０が使用するような場合、ユーザ５０をサポートするスタッフを生体情報測定用椅子１００の近くに配することが望ましい。これにより、生体情報の測定中などに体調変化を訴えるユーザ５０に対して適切な処置を施すことが可能なる。
【００４８】
（生体情報測定用椅子の構成）
生体情報測定用椅子１００は、図２の（ａ）に示すように、座るだけでユーザ５０の複数の生体情報を測定し、その結果をユーザ５０が確認できるように表示パネル３０上に提示することができる椅子である。ここで、生体情報とは、例えば、体重、体脂肪、体温、血圧、心泊数、脈波、歩数、活動量など、各機器４が数値または計測結果を判定する情報であってもよいし、視覚（視力）、嗅覚、聴覚、触覚などの感覚機能についての検査結果であってもよい。脈波とは、指先や足先の毛細血管の血流量を測定し、動脈硬化の程度などを調べるものである。なお、図１及び図２の（ａ）は、各機器（測定機器）４の全てを示したものではなく、例示的に、ユーザ５０の指先に取り付けられた脈波計などの機器４ｐのみを示している。また、機器４は、血液成分を分析する血中血糖値センサ、コレステロールセンサーであってもよい。しかし、これに限定されず、様々な各機器４を適用することが可能である。
【００４９】
このような生体情報は、各機器４によって測定される。測定された生体情報は各機器４から情報管理装置１へと送信される。情報管理装置１は、各機器４から送信された生体情報を含む情報を、表示部２０へと通知する通知データに変換する。通知データに基づいて、生体情報を含む情報は表示パネル３０上に表示される。
【００５０】
生体情報測定用椅子１００は、座面１０１、背凭れ（背部）１０２、肘掛け（アームレスト）１０３、および足台（フットレスト）１０４を備える椅子である。座面１０１と床
面Ｆとの間には、生体情報測定用椅子１００本体を支持する支持部１０８、および床面Ｆと生体情報測定用椅子１００の本体との接触部に配されている設置部材１０９を有している。
【００５１】
座面１０１の床面Ｆからの高さは、支持部１０８が備える昇降機能によって調節され得る。これにより、座面１０１の高さを、様々な体型および年齢の幅広いユーザにとって座りやすい高さに調節することができる。
【００５２】
座面１０１、および背凭れ１０２に挟まれた角度は、生体情報測定用椅子１００に座しているユーザ５０の姿勢を規定する。一般に、血圧などの生体情報の測定では、リラックスした状態での測定が好ましい。そこで、座面１０１に対して背凭れ１０２が後方に傾斜して、座面１０１および背凭れ１０２が、ユーザ５０の背中から臀部にかけて支える姿勢（臥位、または臥位に近い姿勢）を選択することができる。
【００５３】
図１及び図２の（ａ）に示すように、アームレスト１０３は、例えば、アームレスト支持部１０５ａによって支持部１０８と連結されている。また、フットレスト１０４は、例えば、連結部材１０５ｂによって支持部１０８と連結されている。
【００５４】
各機器４（計測機器、機器４ｐを含む）は、生体情報測定用椅子１００の情報管理装置１と通信可能であり、前述の構成の他に、ユーザ５０の腕、手、及び指先（上肢部）、並びに、血液などから生体情報を計測する機器を含む。生体情報測定用椅子１００は、着脱可能な各種の機器４を取り付けることができる。機器４を取り付ける位置としては、アームレスト１０３が好適である。
【００５５】
なお、生体情報測定用椅子１００に座しているユーザ５０の肩が自然な位置（高さ）（例えば、座面からの距離）に肘掛けの位置を調節できてもよい。これにより、脈拍数、血圧の測定、または脈波の計測を行う機器４の高さは、ユーザ５０であるユーザ５０の心臓の高さに略等しい高さとなるように、調節することができる。
【００５６】
フットレスト１０４が連結部材１０５ｂによって支持部１０８と連結されていることによって、生体情報測定用椅子１００に座しているユーザ５０の全体重は、支持部１０８によって支えられる。すなわち、生体情報測定用椅子１００に座したユーザ５０は、完全に全身が生体情報測定用椅子１００に載った状態になる。そして、生体情報測定用椅子１００に座したユーザ５０は、該生体情報測定用椅子１００に座したまま安静な姿勢を保つことが可能である。ユーザ５０の足の裏、足首などから生体情報を計測する各種の機器４を、フットレスト１０４に設置することも可能である。
【００５７】
なお、フットレスト１０４は、生体情報測定用椅子１００の必須の構成ではない。例えば、生体情報測定用椅子１００に座しているユーザ５０の体重を測定する場合であれば、該ユーザ５０の脚が床面Ｆから離間しているか、または支持部１０８に連結されている踏み台（図示せず）などの上に、足を置いて座してもよい。
【００５８】
図１に示すように、支持部１０８の下には、公知の方法を利用した体重計１１１が備えられており、生体情報測定用椅子１００に該生体情報測定用椅子１００に座しているユーザ５０の体重との合計が測定される。計測された合計重量から、ユーザ５０が座する前の生体情報測定用椅子１００のみの重量を減算して、ユーザ５０の体重が算出され得る。なお、一般的な健康診断と同様、着衣分の補正を行ってもよく、例えば、測定された重さから所定の重さ（１ｋｇ）を着衣分として減算した値を体重としてもよい。さらに、前述のように、アームレスト１０３に取り付けられた機器４を変更（交換）する場合には、変更する毎に、生体情報測定用椅子１００に取り付けられている機器４の重量の分だけを考慮
した体重を、測定された体重として使用するようにしてもよい。なお、支持部１０８は、座しているユーザ５０の重心の位置、および移動を検出することができるセンサを備え、ユーザ５０の姿勢が安定しているか否かを判定する構成であってもよい。
【００５９】
表示部２０は、取得した情報を表示する表示パネル３０を有する表示装置であり、位置調整部１０６によって支持されている。なお、位置調整部１０６による表示部２０の位置の調整については後述する。表示パネル３０にはタッチパネル（図示せず）が重畳されており、ユーザ５０によるタッチ操作を受け付ける。また、表示部２０は、各機器４が測定した生体情報、または各種の検査結果を受信して、受信した情報、および検査結果などを表示してユーザ５０に提示する。
【００６０】
なお、生体情報測定用椅子１００は、必須の構成ではないが、スピーカ（図示せず）をさらに備えてもよく、測定を受けるユーザ５０がリラックスできるように好みの音楽などを流してもよい。スピーカを備えている場合には、被測定者に対して、測定操作マニュアル及び測定結果を音声により案内することもできる。また、生体情報測定用椅子１００は、必須の構成ではないが、マイク（図示せず）をさらに備えてもよく、座っているユーザ５０が医療関係者またはオペレータなどと会話することが可能な構成であってもよい。スピーカ、マイクを用いる使用方法の例については、通信機能を利用する場合の生体情報測定用椅子１００における利用方法の例と共に、後に説明する。
【００６１】
（表示部、カメラ）
次に、表示部２０の概略の構成について説明する。生体情報測定用椅子１００が備える表示部２０の表示パネル３０の少なくとも一部には、タッチパネルが重畳されており、表示パネル３０に対するタッチ操作による入力が可能である。すなわち、表示部２０は、情報を表示するとともに、ユーザ５０によるタッチ操作を受け付けるユーザ５０インタフェースとしても機能する。表示パネル３０は、生体情報測定用椅子１００に座したユーザ５０に対して、測定された各生体情報を一覧表示することも可能である。ユーザ５０が、着目した測定値や過去の測定値と大きく異なる数値を見出した場合、ユーザ５０は表示パネル３０へのタッチ操作により、測定のやり直しを指示することも可能である。すなわち、表示パネル３０へのタッチ操作によって、ユーザ５０は各機器による生体情報の測定を個別に指示する構成を備えていてもよい。
【００６２】
表示部２０は、各機器４が測定した生体情報に関する通知データを情報管理装置１から取得して、生体情報をユーザ５０に提示する。
【００６３】
カメラ１０７は、表示部２０に設けられており、生体情報測定用椅子１００に座しているユーザ５０の顔または上半身など、体の少なくとも一部が撮影可能である。また、カメラ１０７によってユーザ５０の全身が撮影されてもよい。
【００６４】
カメラ１０７は、デジタルカメラであり、ＣＣＤセンサ、ＣＭＯＳセンサなどを用いて、生体情報測定用椅子１００に座しているユーザ５０などの撮影被撮像者を撮影するカメラモジュールである。カメラ１０７により撮影されたユーザ５０の撮影画像は、生体情報測定用椅子１００の処理部１０（後述する）に供給される。なお、撮影画像は静止画像であってもよいし動画像であってもよい。また、カメラ１０７は生体情報測定用椅子１００に必ずしも備えられる必要はない。カメラ１０７は、例えば、各機器４と同様に通信機能を備え、生体情報測定用椅子１００からの制御信号を受信し、該信号に応じて撮影可能な外部機器であってもよい。カメラ１０７が設置される位置は、上記の目的を達成可能であれば、どこに設置されてもよい。
【００６５】
カメラ１０７によって撮影された画像データは、情報管理装置１において画像解析処理
に用いられる。例えば、生体情報測定用椅子１００に座しているユーザ５０を撮影した画像データを解析して、ユーザ５０の身体の一部の長さ（例えば、座高又は身長など）、体の状態（肩の位置、姿勢など）、並びに、性別及び年齢などを判定する。生体情報測定用椅子１００に座したときの各ユーザ５０の姿勢を登録することができるように、生体情報測定用椅子１００に姿勢情報を記憶してもよい。この構成によれば、生体情報を測定する場合の姿勢を一定に保つことができる。よって、測定される生体情報の信頼性を高く維持することができる。なお、姿勢が、許容範囲に収まるまで生体情報の測定が開始されないように構成してもよい。さらに、表示部２０にユーザの姿勢及び位置が測定に適した状態であるか否かを示す姿勢調整用シルエットを表示すると共に、当該姿勢調整用シルエットの色などを変化させることによって、ユーザの姿勢及び位置が測定に適した状態であるか否かをユーザへ通知してもよい。
【００６６】
座面１０１の材質の硬さは、過度に柔らかくすれば、ユーザ５０の重みによって深く沈むため、座高などの測定を正しく行うことができない虞がある。一方、弾性のほとんど無い硬質な材質の座面１０１では座り心地が悪くなり、生体情報測定用椅子１００の魅力が減退してしまう。そこで、これに限定されるものではないが、低反発素材を座面１０１に適用し、座り心地を損なうことなく、測定結果の正確さも担保することが望ましい。
【００６７】
カメラ１０７は、例えば、ユーザ５０の態勢が所定の時間（５秒間など）変化しなくなったことを撮影のトリガとして利用してもよいし、ユーザ５０によって撮影可能の信号の発信を促すように、「撮影ＯＫ」などのタッチボタンを表示パネル３０に表示させ、このタッチボタンが押下された後に、所定の時間（２秒間など）の後に撮影してもよい。または、「今からヘルスケアチェックを始めます。開始ボタンをタッチしてください。」という文字列ともに、画面上に「開始」という文字列が付与されたボタンが表示され、該「開始」ボタンが押下されたことを撮影開始のトリガとして利用してもよい。
【００６８】
（通信機能を利用する場合の生体情報測定用椅子における利用方法）
健康診断を病院などの医療施設で受ける場合、順番を待ち、身長、体重の測定、血圧測定、などの測定を順次行う。各測定を行う機器４は、大抵別々の場所に設置されており、測定データを記入するシートを手に持って、順に移動する必要がある。一方、生体情報測定用椅子１００は、ユーザ５０の身長、体重、体温、血圧、脈波などの測定を、椅子に座したまま行うことができる。得られたデータは測定した機器４から自動的に生体情報測定用椅子１００に通信され、表示部２０の表示パネル３０上に表示され、ユーザ５０に提示される。
【００６９】
表示部２０は、生体情報測定用椅子１００の情報管理装置１から通信ネットワークを介して表示する情報を受信してもよいし、無線または有線による通信（ローカルネットワーク）を介して表示する情報を受信してもよい。つまり、表示部２０は必ずしも生体情報測定用椅子１００に一体として設けられていなくてもよい。例えば、外出中の、または離れた場所に住む家族の携帯端末に送信してもよい。これにより、ユーザ５０の測定された生体情報を、家族が確認することが可能である。例えば、高齢者の健康状態を、遠隔地に住む家族が適宜確認し、健康状態の変化が生じている場合に早期に見出して、対処することも可能である。
【００７０】
生体情報測定用椅子１００の情報管理装置１は、通信ネットワークを介して表示する情報を複数の表示装置（表示部２０を含む）へ送信する。例えば、生体情報測定用椅子１００が設置されている場所から離れた病院内の医師または看護師などの医療スタッフ、または家族が使用する表示装置（図示せず）へも送信可能な構成であってもよい。これにより、測定された生体情報を遠隔地の医師も確認することができる。よって、生体情報測定用椅子１００に座するユーザ５０は、表示された生体情報に基づいて遠隔地の医師からの診
断を受けることができる。
【００７１】
生体情報測定用椅子１００に複数の表示部２０を設けてもよい。例えば、複数の表示部２０の中の少なくとも１つの表示部２０は、双方向の画像通信を利用する表示部２０であってもよい。そして、他方の表示装置は、通信相手である医師などを撮影している画像を表示したり、測定した生体情報の表示、または医師から提供されるデータ、資料、所見などの画像を表示したりしてもよい。
【００７２】
このように複数の表示部２０を備えることにより、通信を介して遠隔地の医師に対して、健康に関する相談をして所見を聞くことも、健康に関する有益なアドバイスを受けることも可能である。このように双方向通信を利用する場合、カメラの位置を移動させて、ユーザ５０の顔が撮影されるような方向に向けてもよい。
【００７３】
さらに上述のように通信機能を介して、ユーザ５０が登録した医師、介護士、または家族などからの遠隔操作が可能であってもよい。例えば、生体情報測定用椅子１００のカメラ１０７の位置および撮影する方向、表示装置の位置および方向、ズーム機能などを遠隔的に操作して、観察したい部位（例えば、皮膚、眼、舌、指先など）の所見を得るようにしてもよい。また、各機器４によるユーザの生体情報の測定を、遠隔から開始できるように構成してもよい。これにより、ユーザは、表示部２０に表示される通りに、生体情報を測定するために用いる各機器４を装着すれば、生体情報の測定が開始される。よって、遠隔地の医師が測定を要求する健康維持および健康診断のために必要な生体情報をユーザに伝達し、該生体情報の測定を促すことができる。
【００７４】
〔アームレスト、アームレスト支持部の構成〕
次に、本実施形態に係る生体情報測定用椅子１００の備えるアームレスト１０３、及び、アームレスト支持部１０５ａについて、図３から図５を参照して説明する。図３は、本実施形態に係る生体情報測定用椅子１００の備えるアームレスト１０３、及び、アームレスト支持部１０５ａの構造の一例を示す外観図である。図３（ａ）は、アームレスト１０３及びアームレスト支持部１０５ａの外観の一例を示す外観図であり、（ｂ）は、アームレスト１０３及びアームレスト支持部１０５ａの分解斜視図であり、（ｃ）は第２支持部１５２の備える位置調整部材１５４’の一例を示す外観図である。
【００７５】
（アームレスト）
アームレスト１０３は、ユーザ５０の上肢部を乗せるためのアームレスト１０３であって、図１に示すように、複数の機器４ｐ（測定機器）の少なくとも１つが取り付けられている。また、アームレスト１０３は、アームレスト支持部１０５ａにより生体情報測定用椅子１００に支持されている。
【００７６】
（アームレスト支持部）
アームレスト支持部１０５ａは、アームレスト１０３を支持する支持部材であって、アームレスト１０３の位置を可変に支持する支持部である。より具体的には、アームレスト支持部１０５ａは、アームレスト１０３の位置が、ユーザ５０が機器４ｐを装着するときの位置（第１の位置）と、機器４ｐによりユーザ５０の生体情報を測定するときの位置（第２の位置）との間で可変となるようにアームレスト１０３を支持する。
【００７７】
更に、アームレスト支持部１０５ａは、アームレスト１０３が、ユーザ５０が生体情報測定用椅子１００に座るときの位置（第３の位置）と、機器４ｐによりユーザ５０の生体情報を測定するときの位置の間でも可変となるよう支持することもできる。
【００７８】
〔アームレストの位置調整〕
次に、アームレスト１０３の位置を調整するためのアームレスト支持部１０５ａの構成について説明する。
【００７９】
（アームレストの高さ方向の位置調整）
まず、アームレスト１０３の、生体情報測定用椅子１００の鉛直方向（図１に示すＸ軸方向）（以降、単に「高さ方向」とも記載する）の位置調整に関するアームレスト支持部１０５ａの構成について説明する。なお、本実施形態における「高さ方向」は、厳密な鉛直方向（及び、生体情報測定用椅子１００を設置する床面（又は、設置部材１０９）に対する厳密な垂直方向）に限られず、鉛直方向に近く、実質的に鉛直方向と同視し得るような方向も含まれる。
【００８０】
アームレスト支持部１０５ａは、図３（ａ）に示すように、第１支持部１５１、及び、第２支持部１５２を備えている。また、図３（ｂ）に示すように、第２支持部１５２は、第１支持部１５１が嵌入可能なように筒型に形成されている。また、第１支持部１５１は、第２支持部１５２に対して、高さ方向に対して摺動可能に構成されている。
【００８１】
具体的には、第１支持部１５１の備える位置調整部材１５４が第２支持部１５２の内部に形成されている係合部（不図示）に係合することにより、第１支持部１５１が第２支持部１５２に対して固定される。また、第２支持部１５２の備える位置調整ボタン１５３が押下されると第２支持部１５２の内部に形成されている係合部と位置調整部材１５４との係合が解除される。これにより、第１支持部１５１は、第２支持部１５２に対して摺動可能になる。
【００８２】
また、図３（ｂ）に示すように、第１支持部１５１の長手方向に沿って設けられている位置調整部材１５４の両端が他の位置調整部材１５４よりも高く形成されている。これにより、第２支持部１５２に対する第１支持部１５１の摺動可能な範囲が制限され、第１支持部１５１が第２支持部１５２から抜けないよう構成されている。
【００８３】
なお、本実施形態では、位置調整部材１５４の形状は図３（ｂ）に示す直方体型に限定されるものではなく、例えば、図３（ｃ）に示す位置調整部材１５４’のように、三角柱型に形成されていてもよいし、特に限定されるものではない。例えば、位置調整部材１５４’が三角柱の上面及び底面の三角形の１つの角が約９０°であり、当該約９０°の角が第１支持部１５１に接するように形成されている場合には、第１支持部１５１は、高さ方向の摺動において、位置調整ボタン１５３を押下することなく一方向に摺動でき、他方向に摺動する際にのみ位置調整ボタン１５３を押下することにより摺動可能なように構成することもできる。
【００８４】
このように、第１支持部１５１が第２支持部１５２に対して高さ方向に摺動可能に構成されていることにより、ユーザ５０は、上肢部に機器４ｐを装着する際に、アームレスト１０３の位置を低くすることができる。これにより、ユーザ５０は、生体情報測定用椅子１００に座った状態で、アームレスト１０３に取り付けられた機器４ｐを容易に上肢部に装着することができる。これにより、生体情報測定用椅子１００は、生体情報測定用椅子１００を利用するユーザ５０の利便性（使い勝手）を向上させることができ、ユーザ５０本位の構成を実現することができる。
【００８５】
また、上述の構成により、アームレスト支持部１０５ａは、ユーザ５０が上肢部に機器４ｐを装着した後、機器４ｐによりユーザ５０の生体情報を測定する際に、アームレスト１０３の位置を機器４ｐを装着する際の位置よりも高くすることができる。例えば、アームレスト支持部１０５ａは、アームレスト１０３に取り付けられた機器４ｐによりユーザ５０の生体情報を測定するとき、アームレスト１０３に取り付けられた機器４ｐによる測
定に適した位置に支持する。これにより、生体情報測定用椅子１００は、ユーザ５０の生体情報を、アームレスト１０３に取り付けられた機器４ｐに適した高さにユーザの上肢部を固定した状態で測定することができる。
【００８６】
例えば、アームレスト支持部１０５ａは、機器４ｐが血圧計である場合には、ユーザ５０の上肢部が心臓の高さと同じ程度の高さになるような高さでアームレスト１０３を支持すればよい。これにより、血圧計である機器４ｐは、ユーザ５０の血圧をより正確に測定することができる。
【００８７】
また、アームレスト１０３が、高さが調整可能なようにアームレスト支持部１０５ａに支持されていることにより、アームレスト１０３は、ユーザ５０の上肢部を、ユーザ５０が自然な体勢となる高さに支持することもできる。これにより、ユーザ５０は、自然な体勢（換言すれば、安静な姿勢または、リラックスした体勢で）で生体情報測定用椅子１００による生体情報の測定を受けることができる。このような構成は、機器４ｐが例えば脈拍計である場合など、その機器の高さ又は位置などが測定結果に及ぼす影響が少ない機器４ｐが搭載されているアームレスト１０３の高さを調整する場合に有効である。
【００８８】
なお、本実施形態に係るアームレスト支持部１０５ａは、アームレスト１０３の摺動範囲を適宜設定可能な機構又は形状などを有していてもよい。これによれば、生体情報測定用椅子１００は、ユーザ５０の属性（例えば、大人、子供、又はお年寄りなど）などに応じて安全を考慮したアームレスト１０３の調整範囲を設定することができる。したがって、生体情報測定用椅子１００を利用するユーザ５０の安全性をより向上させることができる。
【００８９】
（アームレストの全方向の位置調整）
次に、アームレスト支持部１０５ａとアームレスト１０３との接続部を支点とした、アームレスト１０３の全方向の位置調整に関するアームレスト支持部１０５ａの構成につい、図４を参照して説明する。図４は、本実施形態に係る生体情報測定用椅子１００の備えるアームレスト１０３、及び、アームレスト支持部１０５ａの構造の他の一例を示す外観図である。図４（ａ）は、アームレスト１０３の可動方向を模式的に示し、（ｂ）は、アームレスト支持部１０５ａとアームレスト１０３との接続部の一例を模式的に示し、（ｃ）は矢印Ａ方向に対するアームレスト１０３の回転の一例を模式的に示している。
【００９０】
図４（ｂ）に示すように、アームレスト支持部１０５ａの備える第１支持部１５１は、アームレスト１０３との接続部に、アームレスト１０３を回転可能に支持するボールジョイント１５５を備えている。また、アームレスト１０３は、ボールジョイント１５５と係合する係合部１３１を備えている。係合部１３１がボールジョイント１５５に係合するようにアームレスト１０３を第１支持部１５１に固定することにより、アームレスト１０３は、アームレスト支持部１０５ａに接続部を支点として回転可能に支持される。また、アームレスト支持部１０５は、アームレスト１０３に対して、複数設けられてもよい。
【００９１】
これにより、アームレスト１０３は、図４（ｃ）に示すように、接続部を支点として、図４（ａ）に示す矢印Ａ方向（図１に示すＸＺ平面方向）に回転する。また、アームレスト１０３は、接続部を支点として、矢印Ｂ方向（図１に示すＹＺ平面方向）に回転する。さらに、アームレスト１０３は、接続部を支点として、矢印Ｃ方向（図１に示すＸＹ平面方向）に回転する。また、アームレスト１０３は、図４（ａ）に示す矢印Ａ〜Ｃ方向を組み合わせた方向に回転することにより、アームレスト支持部１０５ａとアームレスト１０３との接続部を支点として、全方向に対して位置調整も可能となる。
【００９２】
上記の構成により、アームレスト支持部１０５ａは、アームレスト１０３との接続部（
ボールジョイント１５５）を支点として、任意の方向に回転可能となるようにアームレスト１０３を支持する。これにより、アームレスト１０３は、ユーザ５０が測定機器を利用し易い位置および角度に調整することができる。また、アームレスト１０３は、ユーザ５０の上肢部を、ユーザ５０が自然な体勢となる高さに支持することもできる。これにより、ユーザ５０は、自然な体勢で生体情報測定用椅子１００による生体情報の測定を受けることができる。
【００９３】
なお、本実施形態に係るボールジョイント１５５及び係合部１３１は、アームレスト１０３の適宜回転範囲を設定可能な機構又は形状などを有していてもよい。これによれば、生体情報測定用椅子１００は、ユーザ５０の属性などに応じて安全を考慮したアームレスト１０３の回転範囲を設定することにより、ユーザ５０の安全性をより向上させることができる。
【００９４】
（アームレストの水平方向の位置調整）
次に、アームレスト１０３の、生体情報測定用椅子１００の設置面に対する水平方向（図１に示すＹＺ平面方向）（以降、単に「水平方向」とも記載する）の位置調整に関するアームレスト１０３及びアームレスト支持部１０５ａの構成について、図５を参照して説明する。なお、本実施形態においては、「水平方向」には、厳密な水平方向に限られず、完全な水平方向ではないが水平方向に近く、実質的に水平方向と同視し得るような方向も含まれる。
【００９５】
図５は、本実施形態に係る生体情報測定用椅子１００の備えるアームレスト１０３、及び、アームレスト支持部１０５ａの構造の更に他の一例を示す外観図である。図５（ａ）は、アームレスト支持部１０５ａ及びアームレスト１０３の構成の一例を模式的に示し、（ｂ）はアームレスト１０３の位置調整の一例を模式的に示している。
【００９６】
本実施形態に係るアームレスト支持部１０５ａの第２支持部１５２は、図５（ａ）に示すように、アームレスト１０３を位置調整可能に支持する支持板１６０を備えている。また、支持板１６０は、図５（ａ）、（ｂ）に示すように、アームレスト１０３を水平方向に回転可能に支持する軸１６１、スライド用軸１６２ａ、及び、スライド用溝１６２ｂを備えている。
【００９７】
スライド用軸１６２ａは、一端がアームレスト１０３に固定され、他端が支持板１６０のスライド用溝１６２ｂに当該スライド用溝１６２ｂに沿ってスライド可能に挿入されている。この構成により、アームレスト１０３は、軸１６１を回転の軸として、スライド用軸１６２ａがスライド用溝１６２ｂに沿ってスライド可能な範囲で水平方向（特に、図５（ｂ）に示す矢印Ｄ方向）に回転することができる。
【００９８】
上記の構成により、アームレスト支持部１０５ａは、水平方向に対する位置調整が可能となるため、ユーザ５０が生体情報測定用椅子１００に座る際に、生体情報測定用椅子１００の前側（背凭れ１０２と反対側）のアームレスト１０３が開いた状態で支持することができる。また、アームレスト支持部１０５ａは、ユーザ５０が生体情報測定用椅子１００に座った後、機器４ｐによりユーザ５０の生体情報を測定する際に適した位置にアームレスト１０３にアームレスト１０３を支持することができる。換言すれば、本実施形態に係る生体情報測定用椅子１００の備えるアームレスト支持部１０５ａは、ユーザ５０が生体情報測定用椅子１００に座るときのアームレスト１０３の位置、及び、アームレスト１０３に取り付けられた機器４ｐによりユーザ５０の生体情報を測定するときのアームレスト１０３の位置を、可変に支持することができる。
【００９９】
これにより、例えば、ユーザ５０は、アームレスト１０３の生体情報測定用椅子１００
の背凭れ１０２と逆の端部が座面１０１から遠ざかった位置で支持されている状態で生体情報測定用椅子１００に座ることができる。そして、ユーザ５０は、生体情報測定用椅子１００に座った後、アームレスト１０３の背凭れ１０２と逆の端部が当該ユーザ５０が座るときのアームレスト１０３の位置よりも座面に近づいた位置で支持されている状態で、機器４ｐによる測定を受けることができる。
【０１００】
従って、生体情報測定用椅子１００は、当該生体情報測定用椅子１００に座る際のユーザ５０５０の使い勝手を向上させることができると共に、ユーザ５０本位の構成を実現することができる。
【０１０１】
なお、本実施形態に係るアームレスト支持部１０５ａの備える支持板１６０は、アームレスト１０３の回転範囲を適宜設定可能な機構又は形状などを有していてもよい。これによれば、生体情報測定用椅子１００は、ユーザ５０の属性などに応じて安全を考慮したアームレスト１０３の回動範囲を設定することにより、ユーザ５０の安全性をより向上させることができる。
【０１０２】
また、上述の説明では、アームレスト支持部１０５ａが、図３から図５に示す各構成をそれぞれ備えている場合について説明したが、本実施形態では、アームレスト支持部１０５ａは、図３から図５に示す各構成を２つ以上組み合わせた構成を備えていてもよい。これによれば、本実施形態に係るアームレスト支持部１０５ａは、アームレスト１０３の位置の調整を、より細かく柔軟に行うことができる。
【０１０３】
また、ユーザ５０の性別、年齢（年齢層）などにより、ユーザ５０の身長及び腕の長さなどが異なるが、このような場合であっても、生体情報測定用椅子１００は、ユーザ５０に合わせてアームレスト１０３に位置を調整することができるため、ユーザ５０の利便性をより向上させることができる。
【０１０４】
＜変形例１＞
実施形態１では、アームレスト１０３が、アームレスト支持部１０５ａの支持板１６０の備える軸１６１及びスライド用軸１６２ａにより支持されることにより水平方向の位置調整が可能な構成を例に挙げて説明したが、本発明はこれに限定されるものではない。本変形例では、アームレスト１０３の水平方向における位置調整を可能にする他の構成について、図６を参照して説明する。
【０１０５】
図６は、本変形例に係るアームレスト１０３、及び、アームレスト支持部１０５ａ（第２支持１５２）の構造の一例を模式的に示す図である。図６（ａ）は、アームレスト支持部１０５ａ（第２支持１５２）の備える支持板１６０ａの構成の一例を模式的に示し、（ｂ）は、アームレスト１０３の位置調整の一例を模式的に示している。
【０１０６】
図６（ａ）、（ｂ）に示すように、本変形例に係るアームレスト１０３は、第１スライド用軸１６３ａ、及び、第２スライド用軸１６４ａによって支持板１６０ａに支持されている。第１スライド用軸１６３ａの一端はアームレスト１０３に固定され、他端は第１スライド用溝１６３ｂに当該第１スライド用溝１６３ｂに沿ってスライド可能に挿入されている。また、第２スライド用軸１６４ａの一端はアームレスト１０３に固定され、他端は第２スライド用溝１６４ｂに当該第２スライド用溝１６４ｂに沿ってスライド可能に挿入されている。
【０１０７】
この構成により、本変形例に係るアームレスト１０３は、第１スライド用溝１６３ｂに沿ってスライド可能な第１スライド用軸１６３ａを回転の軸として、第２スライド用軸１６４ａが第２スライド用溝１６４ｂに沿ってスライド可能な範囲で水平方向（特に、図６
（ｂ）に示す矢印Ｄ方向）に回転することができる。
【０１０８】
＜変形例２＞
また、本変形例において、アームレスト１０３の水平方向における位置調整を可能にする更に他の構成について、図７及び図８を参照して説明する。
【０１０９】
図７は、本変形例に係るアームレスト１０３、及び、アームレスト支持部１０５ａの構造の一例を模式的に示す図である。図７（ａ）は、アームレスト支持部１０５ａの備える支持板１６０ａの構成の一例を模式的に示し、（ｂ）は、本変形例に係る支持板１６０ｂの備える第１支持アーム１６５及び第２支持アーム１６６の形状の一例を示し、（ｃ）は、アームレスト１０３の位置調整の一例を模式的に示している。
【０１１０】
また、図８は、本変形例に係るアームレスト１０３、及び、アームレスト支持部１０５ａの構造の他の一例を模式的に示す図である。図８（ａ）は、本変形例に係るアームレスト１０３及びアームレスト支持部１０５の斜視図であり、（ｂ）本変形例に係るアームレスト１０３及びアームレスト支持部１０５の側面図である。
【０１１１】
図７及び図８に示すように、本変形例に係るアームレスト１０３は、第１支持アーム１６５、及び、第２支持アーム１６６により支持板１６０ｂに支持されている。第１支持アーム１６５、及び、第２支持アーム１６６の各々は、一端がアームレスト１０３に固定され、他端が支持板１６０ｂに固定されている。なお、第１支持アーム１６５及び第２支持アーム１６６の、アームレスト１０３及び支持板１６０ｂに対する固定は、例えば、図８に示すように、ネジなどを利用すればよいが、特に限定されるものではない。
【０１１２】
これにより、アームレスト１０３は、第１支持アーム１６５及び第２支持アーム１６６の各々の長さ、形状、及び取付位置などによって規定される範囲内で水平方向の位置調整が可能となる。具体的には、アームレスト１０３は、第１支持アーム１６５により図７（ｃ）及び図８（ａ）に示すＦ１方向に位置調整され、第２支持アーム１６６によりＦ２方向に位置調整されることにより、水平方向（図７（ｃ）に示すＤ方向）の位置が調整される。
【０１１３】
なお、第１支持アーム１６５及び第２支持アーム１６６の長さ及び形状は、各々同じであってもよいし、異なっていてもよい。また、第１支持アーム１６５及び第２支持アーム１６６は、アームレスト１０３の水平方向の位置調整において意図するアームレスト１０３の可動域を実現するために、図８（ｂ）に示すような直線状に形成されていてもよいし、直線状とは異なる形状（例えば、図７（ｂ）に示すように、曲線状など）に形成されていてもよい。
【０１１４】
なお、本変形例では、支持板１６０ｂに対してアームレスト１０３を支持する支持アームが２本（第１支持アーム１６５及び第２支持アーム１６６）である場合を例に挙げて説明したが、これに限定されるものではない。支持アームは、例えば、１本であってもよいし、３本以上であってもよいが、２本以上であることが好ましい。
【０１１５】
＜実施形態２＞
本発明の他の実施形態について、図９から図１１を参照して以下に説明する。まず、本実施形態に係る生体情報測定用椅子１００の備える情報管理装置（制御装置）１について、図９を参照して説明する。図９は、本実施形態に係る生体情報測定用椅子１００の備える情報管理装置１の要部構成を示すブロック図である。
【０１１６】
〔情報管理装置の構成〕
本実施形態に係る情報管理装置１は、図９に示すように、処理部１０、表示部２０、及び、記憶部４０を備えている。
【０１１７】
処理部１０は、各機器４において測定された測定情報を取得する。処理部１０は、情報管理装置１と各機器４とが有線接続されている場合には有線通信により、無線接続されている場合には無線通信（例えば、Bluetooth（登録商標）など）により測定情報を取得す
る。そして、処理部１０は、取得した測定情報を解析し、表示部２０の表示パネル３０に表示する。
【０１１８】
また、処理部１０は、図９に示すように、表示部位置調整部（表示部位置調整手段）１１、及び、プライバシー保護制御部（視線遮断制御手段）１２を備えている。なお、プライバシー保護制御部１２については、実施形態を変えて後述する。
【０１１９】
表示部位置調整部１１は、カメラ１０７により撮影されるユーザ５０の撮影画像に基づいて、表示部２０の位置を調整する手段である。より具体的には、表示部位置調整部１１は、カメラ１０７により撮影される撮影画像と、人の形を模した基準シルエットを含む基準画像とを重ね合せたとき、撮影画像に含まれるユーザ５０の画像と基準画像に含まれる基準シルエットとが所定の割合以上重なるように、表示部２０の位置を調整するよう位置調整部１０６を駆動する。表示部位置調整部１１による表示部２０の位置の調整に関する処理（以降、表示部位置調整処理とも呼称する）については、後述する。
【０１２０】
位置調整部１０６は、表示部位置調整部１１の制御に従い、表示部２０の位置を調整するよう駆動する。また、図２（ｂ）に示すようにカメラ１０７が表示部２０に設けられている（備え付けられている）ため、位置調整部１０６は、カメラ１０７の位置を表示部２０に追従するように調整することにもなる。
【０１２１】
なお、カメラ１０７は、必ずしも表示部２０に設けられている必要はなく、表示部２０の位置の調整に伴って位置が調整されるように設けられていれば、例えば、表示部２０表示部２０の近傍に設けられていてもよい。また、表示部２０が２つ取り付けられている場合には、カメラ１０７を、例えば２つの表示部２０に挟まれる位置に設けてもよい。
【０１２２】
記憶部４０には、表示部位置調整部１１における表示部２０の位置の調整に用いられる基準画像であって、人の形を模した基準シルエットを含む基準画像が格納されている。なお、基準画像および基準シルエットについては後述する。
【０１２３】
（表示部位置調整処理）
次に、本実施形態に係る情報管理装置１における表示部位置調整処理について、図１０を参照して説明する。図１０は、本実施形態に係る表示部位置調整処理の流れを示すフローチャートである。
【０１２４】
ユーザ５０が着座したことにより表示部位置調整処理が開始されると、まず、情報管理装置１の備える表示部位置調整部１１は、記憶部４０から基準画像を読み出す（ステップＳ２０１）。また、表示部位置調整部１１は、カメラ１０７により撮影されたユーザ５０の撮影画像を取得する（ステップＳ２０２）。
【０１２５】
表示部位置調整部１１は、基準画像とユーザ５０の撮影画像とを比較し、撮影画像に含まれるユーザ５０の画像が基準画像に含まれる基準シルエットに所定の割合（例えば、８０％など）以上重なっているか否かを判定する（ステップＳ２０３）。なお、以降では、影画像に含まれるユーザ５０の画像と基準画像に含まれる基準シルエットとの重なりの度合いを、一致度とも表現する。換言すれば、表示部位置調整部１１は、ステップＳ２０３
において、影画像に含まれるユーザ５０の画像と基準画像に含まれる基準シルエットとの一致度が所定の割合以上であるか否かを判定する。
【０１２６】
一致度が所定の割合以上でないと判定した場合（ステップＳ２０３においてＮＯ）、表示部位置調整部１１は、表示部２０の位置を移動させる（ステップＳ２０４）。このとき、表示部位置調整部１１は、表示部２０に備えられているカメラ１０７により撮影される撮影画像に含まれるユーザ５０の画像と基準画像に含まれる基準シルエットとの一致度がより高くなる方向（すなわち、撮影画像に含まれるユーザの基準シルエットが基準画像に含まれる基準シルエットにより重なる方向）に表示部２０を移動させる。
【０１２７】
表示部２０の位置を移動させると、表示部位置調整部１１は、再びステップＳ２０２からの処理を繰り返す。つまり、表示部位置調整部１１は、一致度が所定の割合以上であると判定されるまで、ステップＳ２０２〜Ｓ２０４の処理を繰り返す。
【０１２８】
また、一致度が所定の割合以上であると判定した場合（ステップＳ２０３においてＹＥＳ）、表示部位置調整部１１は、表示部２０の位置を固定する（表示部２０の位置の移動を停止させる）（ステップＳ２０５）。表示部位置調整部１１は、これにより、表示部位置調整処理を終了する。
【０１２９】
なお、ここではユーザ５０が着座した際に表示部位置調整処理が実行され、表示部位置調整部１１によりユーザ５０に合わせて表示部２０の位置が調整される構成を例に挙げて説明したが、本実施形態はこれに限定されるものではない。例えば、着座した後のユーザ５０の姿勢の変化に応じて表示部２０の位置を調整するために表示部位置調整処理が実行されてもよい。
【０１３０】
これにより、例えば、ユーザ５０が座面に浅く座した状態から深く座した状態へ姿勢を変化させた場合などに表示部位置調整処理が実行され、表示部位置調整部１１によりユーザ５０の姿勢に合わせて表示部２０の位置が調整される。従って、生体情報測定用椅子１００に着座した後にユーザ５０が姿勢を変えても、変えた姿勢に応じて表示部２０の位置が調整されるため、ユーザ５０は、変えた姿勢のまま表示部２０を快適に使用することができる。
【０１３１】
一方、表示部位置調整処理では、上述のようにステップＳ２０３において一致度が所定の割合以上であると判定された場合には、表示部２０の位置調整は行われない。つまり、座った後のユーザ５０の姿勢の変化が僅か（一致度が所定の割合未満にならない程度の変化）である場合には、表示部２０の位置調整は行われない。従って、ユーザ５０が姿勢を少し変える度に表示部２０の位置調整が行われ、表示部２０が頻繁に動いてしまうことを防ぐことができる。
【０１３２】
また、ユーザ５０が着座した際に実行される表示部位置調整処理は、ユーザ５０が初めて生体情報測定用椅子１００を利用する（生体情報測定用椅子１００に初めて座る）場合にのみ実行されてもよい。この場合には、表示部位置調整部１１は、ユーザ５０が初めて生体情報測定用椅子１００に着座した際に実行された表示部位置調整処理により調整された表示部２０の位置を示す初期位置情報を、ユーザ５０のユーザＩＤなどユーザ５０を特定するための情報と関連づけて記憶部４０に格納しておくことが好ましい。
【０１３３】
これによれば、２回目以降にユーザ５０が生体情報測定用椅子１００を利用する場合には、表示部位置調整部１１は、例えばユーザ５０に関連付けられている初期位置情報を記憶部４０から読み出すことにより、表示部位置調整処理を実行することなくユーザ５０に応じて表示部２０の位置を調整することができる。
【０１３４】
なお、この場合であっても、着座した後のユーザ５０の姿勢の変化に応じて表示部位置調整処理が実行され、表示部２０の位置が調整されることが好ましい。これによって、表示部位置調整部１１は、ユーザ５０の着座時に初期位置情報に基づいて表示部２０の位置を調整した後も、ユーザ５０の姿勢の変化に応じて表示部２０の位置を調整することができる。
【０１３５】
（基準画像）
ここで、基準画像について、図１１を参照して説明する。図１１は、本実施形態に係る基準画像の一例を示す図である。図１１（ａ）は、表示部位置調整処理実行前の基準画像と撮影画像との比較結果の一例を模式的に示し、（ｂ）は、表示部位置調整処理実行後の基準画像と撮影画像との比較結果の一例を模式的に示している。
【０１３６】
基準画像は、上述のように、カメラ１０７により撮影されたユーザ５０の撮影画像と比較する画像であり、図１１に示すように、撮影画像に含まれるユーザ５０の画像と比較するための人の形を模した基準シルエット（図１１に示す点線）を含んでいる。
【０１３７】
撮影画像と基準画像とを重ね合せて比較すると、表示部位置調整処理を実行する前は、図１１（ａ）に示すように、撮影画像中のユーザ５０の画像の位置と、基準画像中の基準シルエットの位置とが、大きくずれている。
【０１３８】
これに対し、表示部位置調整部１１において表示部位置調整処理が実行されることにより、図１１（ｂ）に示すように、撮影画像中のユーザ５０の画像の位置と、基準画像中の基準シルエットの位置との一致度が所定の割合以上となる。
【０１３９】
上述の構成ように、本実施形態に係る生体情報測定用椅子１００は、表示部２０の位置をユーザ５０に合わせて調整することができるため、表示部２０の利用に関してユーザ５０の利便性を更に向上させることができる。
【０１４０】
なお、性別および年齢層などに応じて基準シルエットの異なる複数の基準画像が容易されていることが好ましい。例えば、表示部位置調整部１１は、表示部位置調整処理が実行される前にユーザ５０から性別および年齢の入力を受け付けることにより、ユーザ５０に適した基準画像を記憶部４０から抽出することにより、より正確に表示部位置調整処理を行うことができる。
【０１４１】
また、複数の基準画像に含まれる各基準シルエットは、各性別および各年齢層における平均の人の体形よりも少し大きくしておくことが好ましい。表示部位置調整処理では、撮影画像に含まれるユーザ５０の画像と基準シルエットとが所定の割合上重なっているか否かが判定されるため（ステップＳ２０３）、基準シルエットの大きさを平均の人の体形に対して余裕を持たせることで、平均よりも体格の大きいユーザについても適切に表示部位置調整処理を行うことができる。
【０１４２】
例えば、表示部２０の位置の調整のために用いられる基準画像として、年齢別に、男性用、女性用、子供用の３つの基準シルエットをそれぞれ含む３つの基準画像を用意しておくことにより、ユーザの性別及び年齢に適した基準画像を用いることができる。これにより、表示部位置調整部１１は、ユーザにより適した位置に表示部２０を調整することができる。
【０１４３】
また、本実施形態では、表示部位置調整部１１における表示部位置調整処理において、撮影画像に含まれるユーザ５０の画像と、基準画像に含まれる基準シルエットとを比較す
る構成を例に挙げて説明したが、本発明はこれに限定されるものではない。例えば、表示部位置調整部１１は、表示部位置調整処理において、撮影画像に含まれるユーザ５０の輪郭と、基準画像に含まれる人の形の輪郭とを比較してもよい。
【０１４４】
＜実施形態３＞
本発明の他の実施形態に係る生体情報測定用椅子１００は、さらに、プライバシー保護部（視線遮断部）１１０を備えている。本実施形態に係る生体情報測定用椅子１００の備えるプライバシー保護部１１０の構成について、図１、図１２及び図１３を参照して説明する。図１２は、本実施形態に係る生体情報測定用椅子１００の備えるプライバシー保護部１１０の一例を示す外観図である。また、図１３は、本実施形態に係る生体情報測定用椅子１００の外観の一例を模式的に示す図である。
【０１４５】
本実施形態に係る生体情報測定用椅子１００の備えるプライバシー保護部１１０は、表示部２０に対するユーザ５０以外の人物（例えば、生体情報測定用椅子１００の周囲に存在する他のユーザなど）からの視線を遮るものである。プライバシー保護部１１０としては、例えば、生体情報測定用椅子１００全体を覆うような卵型の部材、生体情報測定用椅子１００の周囲を覆うように設けられるカーテン、及び、図１２に示すような上部の空いたバイザーなどを利用することができるが、特に限定されるものではない。
【０１４６】
プライバシー保護部１１０を備えることにより、生体情報測定用椅子１００は、表示部２０に表示されている、各機器４において測定されたユーザ５０の生体情報の測定結果が、他のユーザから見られることを防ぐことができる。また、プライバシー保護部１１０がカーテン及びバイザーなど、生体情報測定用椅子１００の上部が覆われないものである場合には、プライバシー保護部１１０が生体情報測定用椅子１００の全体を覆うことによりユーザ５０に圧迫感を与えてしまうこともない。
【０１４７】
なお、本実施形態では、プライバシー保護部１１０は、図１に示すように、床面と生体情報測定用椅子１００の本体との接触部に配されている設置部材１０９’（台座）と一体に形成されているフレームにより支持されているが、これに限定されるものではない。例えば、プライバシー保護部１１０は、図１３に示すように、支持部１０８’と一体に形成されているフレームにより支持されていてもよい。
【０１４８】
＜実施形態４＞
実施形態３では、生体情報測定用椅子１００がプライバシー保護部１１０を備えている構成を説明したが、生体情報測定用椅子１００の処理部１０は、さらに、プライバシー保護部１１０を制御することができてもよい。本実施形態に係る処理部１０について、図９及び図１２を参照して説明する。
【０１４９】
本実施形態に係る生体情報測定用椅子１００の備える処理部１０は、図９に示すように、プライバシー保護制御部（視線遮断制御手段）１２を備えている。プライバシー保護制御部１２は、プライバシー保護部１１０の動作を制御する。
【０１５０】
具体的には、プライバシー保護制御部１２は、（１）機器４ｐによる測定結果が表示部２０に表示されている場合に、プライバシー保護部１１０によるユーザ５０以外の人物からの視線の遮断を有効にし、（２）機器４ｐによる測定結果が表示部２０に表示されていない場合に、プライバシー保護部１１０による視線の遮断を無効にするよう制御する。
【０１５１】
例えば、プライバシー保護部１１０が電流の供給の有無により透明と不透明とが切り替わる導電性パネルにより構成されるバイザーである場合には、プライバシー保護制御部１２は、機器４ｐによる測定結果が表示部２０に表示されている場合に、バイザーに電流を
供給する（又は電流の供給を停止する）ことによりバイザーが不透明になるよう制御し、バイザーによるユーザ５０以外の人物からの視線の遮断を有効にする。また、プライバシー保護制御部１２は、機器４ｐによる測定結果が表示部２０に表示されていない場合に、バイザーへの電流の供給を停止する（又は電流を供給する）ことによりバイザーが透明になるよう制御し、バイザーによるユーザ５０以外の人物からの視線の遮断を無効にする。
【０１５２】
また、プライバシー保護部１１０がカーテンである場合には、プライバシー保護制御部１２は、機器４ｐによる測定結果が表示部２０に表示されている場合に、カーテンを閉めることによりバイザーによるユーザ５０以外の人物からの視線の遮断を有効にする。また、プライバシー保護制御部１２は、機器４ｐによる測定結果が表示部２０に表示されていない場合には、バイザーへの電流の供給を停止する（又は電流を供給する）ことによりバイザーが透明になるよう制御し、バイザーによるユーザ５０以外の人物からの視線の遮断を無効にする。
【０１５３】
さらに、プライバシー保護制御部１２は、図１２（ｂ）に示すように、プライバシー保護部１１０の一部（矢印Ｐの示す領域）についてのみ視線の遮断を有効にし、他の部分（矢印Ｑの示す領域）については視線の遮断を無効にするよう、プライバシー保護部１１０を制御してもよい。この場合には、プライバシー保護制御部１２は、例えば、生体情報測定用椅子１００の周囲に存在する人物の位置を特定し、当該特定した位置からの人物の視線を遮断可能なように、プライバシー保護部１１０の一部の視線の遮断を有効に制御すればよい。
【０１５４】
もちろん、上述の実施形態１〜４に記載の構成は、各々組み合わせて用いることも可能である。具体的には、実施形態１の構成によりアームレスト１０３の位置調整を可能にしつつ、実施形態２の構成により表示部２０の位置調整を可能にし、更に実施形態３、４の構成によりプライバシー保護部１１０によりユーザのプライバシーを保護することも可能である。
【０１５５】
〔ソフトウェアによる実現例〕
情報管理装置１の処理部１０の各ブロックは、集積回路（ＩＣチップ）等に形成された論理回路（ハードウェア）によって実現してもよいし、ＣＰＵ（Central Processing Unit）を用いてソフトウェアによって実現してもよい。
【０１５６】
後者の場合、処理部１０は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【０１５７】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【産業上の利用可能性】
【０１５８】
本発明は、生体情報を計測することのできる椅子に好適に利用することができる。
【符号の説明】
【０１５９】
１        情報管理装置（制御装置）
１０      処理部
１１      表示部位置調整部（表示部位置調整手段）
１２      プライバシー保護制御部（視線遮断制御手段）
２０      表示部
４０      記憶部
１００    生体情報測定用椅子（椅子）
１０１    座面
１０２    背凭れ
１０３    アームレスト
１０５ａ  アームレスト支持部
１０７    カメラ
１１０    プライバシー保護部（視線遮断部）
【図１】
2015228975.tif 000003
【図２】
2015228975.tif 000004
【図３】
2015228975.tif 000005
【図４】
2015228975.tif 000006
【図５】
2015228975.tif 000007
【図６】
2015228975.tif 000008
【図７】
2015228975.tif 000009
【図８】
2015228975.tif 000010
【図９】
2015228975.tif 000011
【図１０】
2015228975.tif 000012
【図１１】
2015228975.tif 000013
【図１２】
2015228975.tif 000014
【図１３】
2015228975.tif 000015